(57)【特許請求の範囲】
【請求項１】
ロフト角が異なる３本以上のアイアン型ゴルフクラブからなるアイアン型ゴルフクラブセットであって、
各アイアン型ゴルフクラブのクラブヘッドの重心を通りかつトウ・ヒール方向にのびる水平軸周りの慣性モーメントＭｓ（ｇ・cm2）とヘッドの質量Ｍ（ｇ）との比Ｍｓ／Ｍを慣性係数Ａとするとき、
ロフト角が最小である最も低番手のクラブヘッドの慣性係数Ａ1とロフト角が最大である最も高番手のクラブヘッドの慣性係数Ａnとの差Ａn−Ａ1が０．３以上であり、かつ、ロフト角が最大である最も高番手のクラブヘッドの慣性係数Ａnが３．０以上であり、
各クラブヘッドの慣性係数Ａは、ロフト角が大きくなるに従って徐々に大きくなることを特徴とするアイアン型ゴルフクラブセット。
【請求項２】
前記クラブヘッドは、ボールを打撃するフェースを前面に有するヘッド基体を有し、
該ヘッド基体の背面には、後方に隆起してヘッド基体の上面に沿ってのびるトップ側隆起部が形成され、
前記トップ側隆起部は、前記フェースの上縁に連なる外周面と、クラブヘッドの重心側を向く内周面とを含み、
シャフト中心線を垂直面内に配しかつ規定のライ角で傾けるとともに、フェースを規定のロフト角に保持して水平面に接地させた基準状態の背面視において、
各クラブヘッドの前記トップ側隆起部のトウ側において、前記外周面の最大高さＨｏと、前記内周面の最大高さＨｉとの差Ｈｏ−Ｈｉである隆起部厚さは、ロフト角が大きくなるに従って徐々に大きくなる請求項１記載のアイアン型ゴルフクラブヘッドセット。
【請求項３】
少なくとも前記クラブヘッドの１つは、前記トップ側隆起部に、前記内周面の最大高さＨｉが一定でトウ・ヒール方向にのびる水平部を含む請求項２記載のアイアン型ゴルフクラブセット。
【請求項４】
前記ヘッド基体は、第１の金属材料と、該第１の金属材料よりも比重が大きく前記トップ側隆起部の少なくとも一部を構成する第２の金属材料とを含む請求項２又は３に記載のアイアン型ゴルフクラブセット。
【請求項５】
ロフト角が異なる３個以上のアイアン型ゴルフクラブヘッドからなるアイアン型ゴルフクラブヘッドセットであって、
各クラブヘッドの重心を通りかつトウ・ヒール方向にのびる水平軸周りの慣性モーメントＭｓ（ｇ・cm2）とヘッドの質量Ｍ（ｇ）との比Ｍｓ／Ｍを慣性係数Ａとするとき、
ロフト角が最小であるクラブヘッドの慣性係数Ａ1とロフト角が最大であるクラブヘッドの慣性係数Ａnとの差Ａn−Ａ1が０．３以上であり、かつ、ロフト角が最大である最も高番手のクラブヘッドの慣性係数Ａnが３．０以上であり、
各クラブヘッドの慣性係数は、ロフト角が大きくなるに従って徐々に大きくなることを特徴とするアイアン型ゴルフクラブヘッドセット。
【請求項６】
ロフト角が異なる３本以上のアイアン型ゴルフクラブからなるアイアン型ゴルフクラブセットであって、
各アイアン型ゴルフクラブのクラブヘッドの重心を通りかつトウ・ヒール方向にのびる水平軸周りの慣性モーメントＭｓ（ｇ・cm2）とヘッドの質量Ｍ（ｇ）との比Ｍｓ／Ｍを慣性係数Ａとするとき、
ロフト角が最小である最も低番手のクラブヘッドの慣性係数Ａ1とロフト角が最大である最も高番手のクラブヘッドの慣性係数Ａnとの差Ａn−Ａ1が０．３以上であり、かつ、
各クラブヘッドの慣性係数Ａは、ロフト角が大きくなるに従って徐々に大きくなり、
前記クラブヘッドは、ボールを打撃するフェースを前面に有するヘッド基体を有し、
該ヘッド基体の背面には、後方に隆起してヘッド基体の上面に沿ってのびるトップ側隆起部が形成され、
前記トップ側隆起部は、前記フェースの上縁に連なる外周面と、クラブヘッドの重心側を向く内周面とを含み、
シャフト中心線を垂直面内に配しかつ規定のライ角で傾けるとともに、フェースを規定のロフト角に保持して水平面に接地させた基準状態の背面視において、
各クラブヘッドの前記トップ側隆起部のトウ側において、前記外周面の最大高さＨｏと、前記内周面の最大高さＨｉとの差Ｈｏ−Ｈｉである隆起部厚さは、ロフト角が大きくなるに従って徐々に大きくなり、
少なくとも前記クラブヘッドの１つは、前記トップ側隆起部に、前記内周面の最大高さＨｉが一定でトウ・ヒール方向にのびる長さが５mm以上の水平部を含むことを特徴とするアイアン型ゴルフクラブセット。
【発明の詳細な説明】
【技術分野】
【０００１】
本発明は、打球の飛距離の安定性を向上させたアイアン型ゴルフクラブセット及びアイアン型ゴルフクラブヘッドセットに関する。
【背景技術】
【０００２】
近年、クラブヘッドを低重心化して、ボールを打撃するフェースのスイートスポットよりも上側で打球し易くすることにより、いわゆる縦のギア効果を大きく作用させることが知られている。このようなクラブヘッドは、打球のバックスピン量が小さくなり、吹け上がりを抑えて打球の飛距離を向上させることができる。
【０００３】
しかしながら、ロフト角が大きいクラブヘッドでは、フェースの打撃位置がスイートスポットの上下にバラツキ易い。このため、打球のバックスピン量が大きく変化し、飛距離が安定しないという問題があった。
【先行技術文献】
【特許文献】
【０００４】
【特許文献１】特開平８−１１２３７８号公報
【特許文献２】特開２００１−３７９２５号公報
【発明の概要】
【発明が解決しようとする課題】
【０００５】
本発明は、以上のような実情に鑑み案出なされたもので、各アイアン型ゴルフクラブのクラブヘッドの重心を通りかつトウ・ヒール方向にのびる水平軸周りの慣性モーメントＭｓ（ｇ・cm2）（以下、単に、「上下の慣性モーメント」という場合がある。（図３に示す。））とヘッドの質量Ｍ（ｇ）との比Ｍｓ／Ｍを慣性係数Ａとするとき、各クラブヘッド間の慣性係数をロフト角の大きさによって規定することを基本として、ロフト角の大きいクラブヘッドの打球の飛距離の安定性を向上させたアイアン型ゴルフクラブセット及びアイアン型ゴルフクラブヘッドセットを提供することを主たる目的としている。
【課題を解決するための手段】
【０００６】
本発明のうち請求項１記載の発明は、ロフト角が異なる３本以上のアイアン型ゴルフクラブからなるアイアン型ゴルフクラブセットであって、各アイアン型ゴルフクラブのクラブヘッドの重心を通りかつトウ・ヒール方向にのびる水平軸周りの慣性モーメントＭｓ（ｇ・cm2）とヘッドの質量Ｍ（ｇ）との比Ｍｓ／Ｍを慣性係数Ａとするとき、ロフト角が最小である最も低番手のクラブヘッドの慣性係数Ａ1とロフト角が最大である最も高番手のクラブヘッドの慣性係数Ａnとの差Ａn−Ａ1が０．３以上であり、かつ、ロフト角が最大である最も高番手のクラブヘッドの慣性係数Ａnが３．０以上であり、各クラブヘッドの慣性係数Ａは、ロフト角が大きくなるに従って徐々に大きくなることを特徴とする。
【０００７】
また請求項２記載の発明は、前記クラブヘッドは、ボールを打撃するフェースを前面に有するヘッド基体を有し、該ヘッド基体の背面には、後方に隆起してヘッド基体の上面に沿ってのびるトップ側隆起部が形成され、前記トップ側隆起部は、前記フェースの上縁に連なる外周面と、クラブヘッドの重心側を向く内周面とを含み、シャフト中心線を垂直面内に配しかつ規定のライ角で傾けるとともに、フェースを規定のロフト角に保持して水平面に接地させた基準状態の背面視において、各クラブヘッドの前記トップ側隆起部のトウ側において、前記外周面の最大高さＨｏと、前記内周面の最大高さＨｉとの差Ｈｏ−Ｈｉである隆起部厚さは、ロフト角が大きくなるに従って徐々に大きくなる請求項１記載のアイアン型ゴルフクラブヘッドセットである。 
【０００８】
また請求項３記載の発明は、少なくとも前記クラブヘッドの１つは、前記トップ側隆起部に、前記内周面の最大高さＨｉが一定でトウ・ヒール方向にのびる水平部を含む請求項２記載のアイアン型ゴルフクラブセットである。 
【０００９】
また請求項４記載の発明は、前記ヘッド基体は、第１の金属材料と、該第１の金属材料よりも比重が大きく前記トップ側隆起部の少なくとも一部を構成する第２の金属材料とを含む請求項２又は３に記載のアイアン型ゴルフクラブセットである。 
【００１０】
また請求項５記載の発明は、ロフト角が異なる３個以上のアイアン型ゴルフクラブヘッドからなるアイアン型ゴルフクラブヘッドセットであって、各クラブヘッドの重心を通りかつトウ・ヒール方向にのびる水平軸周りの慣性モーメントＭｓ（ｇ・cm2）とヘッドの質量Ｍ（ｇ）との比Ｍｓ／Ｍを慣性係数Ａとするとき、ロフト角が最小であるクラブヘッドの慣性係数Ａ1とロフト角が最大であるクラブヘッドの慣性係数Ａnとの差Ａ1−Ａnが０．３以上であり、かつ、ロフト角が最大である最も高番手のクラブヘッドの慣性係数Ａnが３．０以上であり、各クラブヘッドの慣性係数は、ロフト角が大きくなるに従って徐々に大きくなることを特徴とするアイアン型ゴルフクラブヘッドセットである。
また請求項６記載の発明は、ロフト角が異なる３本以上のアイアン型ゴルフクラブからなるアイアン型ゴルフクラブセットであって、各アイアン型ゴルフクラブのクラブヘッドの重心を通りかつトウ・ヒール方向にのびる水平軸周りの慣性モーメントＭｓ（ｇ・cm2）とヘッドの質量Ｍ（ｇ）との比Ｍｓ／Ｍを慣性係数Ａとするとき、ロフト角が最小である最も低番手のクラブヘッドの慣性係数Ａ1とロフト角が最大である最も高番手のクラブヘッドの慣性係数Ａnとの差Ａn−Ａ1が０．３以上であり、かつ、各クラブヘッドの慣性係数Ａは、ロフト角が大きくなるに従って徐々に大きくなり、前記クラブヘッドは、ボールを打撃するフェースを前面に有するヘッド基体を有し、該ヘッド基体の背面には、後方に隆起してヘッド基体の上面に沿ってのびるトップ側隆起部が形成され、前記トップ側隆起部は、前記フェースの上縁に連なる外周面と、クラブヘッドの重心側を向く内周面とを含み、シャフト中心線を垂直面内に配しかつ規定のライ角で傾けるとともに、フェースを規定のロフト角に保持して水平面に接地させた基準状態の背面視において、各クラブヘッドの前記トップ側隆起部のトウ側において、前記外周面の最大高さＨｏと、前記内周面の最大高さＨｉとの差Ｈｏ−Ｈｉである隆起部厚さは、ロフト角が大きくなるに従って徐々に大きくなり、少なくとも前記クラブヘッドの１つは、前記トップ側隆起部に、前記内周面の最大高さＨｉが一定でトウ・ヒール方向にのびる長さが５mm以上の水平部を含むことを特徴とする。
【発明の効果】
【００１１】
本発明のアイアン型ゴルフクラブセットは、ロフト角が異なる３本以上のアイアン型ゴルフクラブからなり、各アイアン型ゴルフクラブの上下の慣性モーメントＭｓ（ｇ・cm2）とヘッドの質量Ｍ（ｇ）との比Ｍｓ／Ｍを慣性係数Ａとするとき、ロフト角が最小である最も低番手のクラブヘッドの慣性係数Ａ1とロフト角が最大である最も高番手のクラブヘッドの慣性係数Ａnとの差Ａn−Ａ1が０．３以上であり、かつ、各クラブヘッドの慣性係数は、ロフト角が大きくなるに従って徐々に大きくする。このような慣性係数の大きなクラブヘッドは、縦のギア効果が小さくなる。従って、ロフト角が大きいクラブにおいて、ボールの打撃位置が、フェースの上下にばらついても、打球のバックスピン量の変化が小さくなるため、飛距離の安定性が向上する。
【図面の簡単な説明】
【００１２】
【図１】（ａ）乃至（ｃ）は、本発明の一実施形態のゴルフクラブヘッドの基準状態の背面図である。
【図２】図１（ｂ）の拡大正面図である。
【図３】図２のＸ−Ｘ断面図である。
【図４】（ａ）は、図１（ａ）のＹ１−Ｙ１端面図、（ｂ）は、図１（ｂ）のＹ２−Ｙ２端面図、（ｃ）は、図１（ｃ）のＹ３−Ｙ３端面図である。
【発明を実施するための形態】
【００１３】
以下、本発明の実施の一形態が図面に基づき説明される。
図１（ａ）乃至（ｃ）には、本実施形態のアイアン型ゴルフクラブセット（以下、単に「セット」又は「クラブセット」ということがある。）に含まれる３本のアイアン型ゴルフクラブヘッド（以下、単に「クラブヘッド」又は「ヘッド」ということがある。）３ａ乃至３ｃの基準状態の背面図が示される。また、図２には、その代表例として、図１（ｂ）のヘッド３ｂを有するアイアン型ゴルフクラブ（以下、単に「ゴルフクラブ」又は「クラブ」ということがある。）１の基準状態の正面図が示される。また、図３には、図２のＸ−Ｘ断面図が示される。ここで、図１乃至３に示されるように、クラブヘッド３の基準状態とは、該ヘッド３に装着されるシャフト２の軸中心線ＣＬを垂直面ＶＰ内に配しかつ規定のライ角αで傾けるとともに、ボールを打撃する打撃面をなすフェース５のスイートスポットＳＳをロフト角βに保持（フェース角は零にセットされる）して水平面ＨＰに接地させた状態とする。特に言及されていない場合、ヘッド３は、この基準状態にあるものとする。なお、ヘッド３にシャフト２が装着されていない場合、ライ角αは、ホーゼル部３Ｂのシャフト差込孔ｈの軸中心線ＣＬを基準に定める。
【００１４】
本実施形態のクラブセットは、ロフト角βが異なる３本以上、好ましくは、慣例に基づいて５〜１０本程度のゴルフクラブ１から構成される。このようなゴルフクラブ１は、広い範囲で飛距離を打ち分けるために、セットの中で最も小さなロフト角βを、１９〜２７度に設定するのが望ましく、また、隣接する番手間において、ロフト角βを３ないし１０度程度で変化させるのが望ましい。
【００１５】
また、本実施形態のシャフト２は、クラブセットの内で、ロフト角βの増大に伴って徐々に短く形成される。
【００１６】
図１（ａ）に示されるヘッド３ａは、本実施形態のセットの中でロフト角βが最小である最も低番手な５番アイアン、図１（ｂ）に示されるヘッド３ｂは、本実施形態のセットの中でロフト角βが略中間である８番アイアン、図１（ｃ）に示されるヘッド３ｃは、本実施形態のセットの中でロフト角βが最大である最も高番手なピッチングウエッジのヘッドである。なお、最も低番手なヘッド３ａは、例えば、４番アイアンや、３番アイアンであっても良く、同じく最も高番手なヘッド３ｃは、例えば、サンドウェッジや、９番アイアンであっても良い。
【００１７】
本実施形態のクラブセットでは、ゴルフクラブ１のヘッド３の上下の慣性モーメントＭｓ（ｇ・cm2）とヘッドの質量Ｍ（ｇ）との比Ｍｓ／Ｍを慣性係数Ａとするとき、ロフト角βが最小である最も低番手のクラブヘッドの慣性係数Ａ1とロフト角が最大である最も高番手のクラブヘッドの慣性係数Ａn（ｎは３以上の自然数）との差Ａn−Ａ1が０．３以上で規定される。このように本実施形態では、最も高番手のクラブヘッドを、最も低番手のクラブヘッドよりも慣性係数Ａを大きくすることにより、最も高番手のクラブヘッドの縦のギア効果を小さくする。従って、ボールの打撃位置がフェースの上下にばらつき易いロフト角が最大であるクラブヘッド３において、ボールの打撃位置がばらついても、打球のバックスピン量の変化が小さくなるため、飛距離の安定性が向上する。なお、慣性係数Ａの差Ａn−Ａ1が大きくなると、縦のギア効果が過度に小さくなり、ロフト角が最大であるクラブヘッド３のバックスピン量が低下して目標地点であるグリーン上にボールを止めることができなくなるおそれがある。このため、前記差Ａn−Ａ1は、好ましくは０．５以上が望ましく、また、好ましくは０．９以下、より好ましくは０．８以下が望ましい。同様の観点より、慣性係数Ａnは、好ましくは３．０以上、より好ましくは３．１以上が望ましく、また好ましくは４．０以下、より好ましくは３．９以下が望ましい。
【００１８】
このように、本発明では、セット間のクラブヘッド３を単に上下の慣性モーメントＭｓの大小で定義するものではなく、上下の慣性モーメントＭｓとヘッドの質量Ｍとの比Ｍｓ／Ｍで規定している。これにより、上下の慣性モーメントＭｓの効果を、クラブヘッド３の質量の大小に左右されることなく評価することができ、ひいては、より正確に縦のギア効果の大小をロフト角の差によるクラブセット間で評価することができる。
【００１９】
また、各クラブヘッド３の慣性係数Ａは、ロフト角が大きくなるに従って徐々に大きくなるよう設定される必要がある。これにより、フェースが上下にずれ易く、ボールの打撃位置がフェースの上下にばらつき易い高番手のクラブヘッドになるほど、打球のバックスピン量の変化を小さくして、打球の飛距離の安定性を向上させることができる。このような作用を効果的に発揮するため、番手が隣り合うクラブヘッドの慣性係数の差Ａu+1−Ａu（Ｕは、１≦ｕ＜ｎを満たす自然数）は、好ましくは０．０５以上、より好ましくは０．１０以上が望ましく、また好ましくは０．３０以下、より好ましくは０．２０以下が望ましい。
【００２０】
次に、このようなクラブヘッドセットを構成するヘッド３が具体的に説明される。なお、本明細書において、トウ・ヒール方向とは、図２及び３に示されるように、ヘッド３の重心Ｇから前記フェース５に下ろした法線Ｎと直角な方向ＴＫとする。また、上下方向とは、水平面ＨＰに対して垂直な方向ＴＬとする。なお、この法線Ｎとフェース５の交点が前記スイートスポットＳＳになる。
【００２１】
クラブヘッド３は、質量が小さくなると、上下の慣性モーメントＭｓや前記重心Ｇを通る垂直軸ＳＬ周りの慣性モーメント（以下、単に「左右の慣性モーメント」という場合がある）Ｍｇが小さくなって、打球の方向安定性や飛距離の安定性が悪化するおそれがある。他方、質量が大きくなると、振り切れなくなって打球の方向性や飛距離が悪化するおそれがある。このような観点より、クラブヘッド３の重量は、好ましくは１８０ｇ以上、より好ましくは２００ｇ以上で形成されるのが望ましく、また好ましくは３４０ｇ以下、より好ましくは３２０ｇ以下で形成されるのが望ましい。
【００２２】
本実施形態のヘッド３は、ボールを打撃するフェース５を前面に有するヘッド基体３Ａと、該ヘッド基体３Ａのヒール側に連設されかつ、前記シャフト差込孔ｈを有する略円筒状のホーゼル部３Ｂとを含む。
【００２３】
前記ヘッド基体３Ａは、前記フェース５と、このフェース５の上縁５ａに連なりかつヘッドの上面部分をなす上面６と、前記フェース５の下縁５ｂに連なりかつヘッドの底面部分をなす下面７と、該下面７と前記上面６との間をトウ側で継ぐトウ面８と、前記フェース５の反対側の面である背面９とを含んで区画される。これらの各面５ないし９は、いずれもヘッド外面をなす。
【００２４】
また、本実施形態のヘッド３は、前記フェース５の少なくとも一部（本実施形態では主要部）を含む板状のフェース部材１０と、該フェース部材１０を保持するとともに前記ホーゼル部３Ｂが一体に形成されたフェース受け部材１１とを含んで構成される。
【００２５】
前記フェース部材１０及びフェース受け部材１１には、例えばチタン、チタン合金、アルミニウム合金、ステンレス鋼又は軟鉄など種々の金属材料で形成されるのが望ましい。とりわけ、フェース部材１０には、比強度が大きくかつ反発性に優れた、例えばチタン合金が望ましく、またフェース受け部材１１には、例えば、フェース部材１０よりも高比重のステンレス鋼又は軟鉄の鋳造品が望ましい。これにより、フェース部材１０の周辺部により多くの重量が配分され、上下の慣性モーメントＭｓ、左右の慣性モーメントＭｇやスイートエリアの大きいヘッド３が提供される。なお、フェース部材１０及びフェース受け部材１１は、これら金属材料の１種のみで形成されるものではなく、例えば２種、３種の金属材料を用いて形成されても良い。
【００２６】
このようなフェース部材１０とフェース受け部材１１とは、例えば、溶接、ロウ付け、カシメ、接着剤及び／又はねじなどの接合手段により一体化される。ただし、ヘッド３は、１種の金属材料で構成されたものでも良い。
【００２７】
フェース部材１０の厚さＴは、特に限定はされないが、大きすぎるとヘッドの反発性が低下しやすく、小さすぎると強度が不足して耐久性を悪化させる傾向があるので、好ましくは１．５mm以上、より好ましくは２．０mm以上が望ましく、また、好ましくは４．５mm以下、より好ましくは３．０mm以下が望ましい。前記厚さＴは一定である必要はなく、各部において異ならせることができる。なお、フェース５には、必要に応じて、ボールとの摩擦力を高める凹溝などのフェースラインＦＬが複数本隔設される。
【００２８】
本実施形態のフェース部材１０は、図２及び３に示されるように、板状をなし、フェース５を形成するフェース面１０ａと、該フェース面１０ａに連設され、フェース部材１０の外周を形成するフェース周面１０ｂと、該周面１０ｂに連設され、フェース部材１０の背面を形成するフェース背面１０ｃとからなる。
【００２９】
また、本実施形態のフェース受け部材１１は、フェース部材１０のフェース背面１０ｃと接触しない前後に貫通した開口部（図示せず）を具えるとともに、この開口部Ｏを囲んで環状にのびフェース周面１０ｂの全周及びフェース背面１０ｃを支持する受け枠１１ａと、ホーゼル部３Ｂとを一体に具える。これにより、本実施形態のフェース周面１０ｂは、露出することがない。なお、フェース部材１０は、このような態様に限定されるものではなく、フェース周面１０ｂの一部が露出する態様でも構わない。
【００３０】
また、本実施形態では、前記ヘッド基体３Ａは、前記背面９側にフェース５側に窪むキャビティＣと、このキャビティＣを囲むとともに後方に隆起して環状にのびる後方隆起部１２を具える。このような後方隆起部１２を有するキャビティバック構造は、フェース５から後方に離間した位置により多くの重量を配分し、各慣性モーメントＭｓ、Ｍｇを大きくして打球の飛距離や方向性を安定させるのに役立つ。
【００３１】
前記後方隆起部１２は、例えば、前記上面６及びトウ面８の一部に沿ってのびスイートスポットＳＳよりも上側の領域をなすトップ側隆起部１２ａと、該トップ側隆起部１２ａに接続されかつ下面７に沿ってのびるソール側隆起部１２ｂとを有し、これらは連続してスイートスポットＳＳ囲むように形成される。
【００３２】
図３及び４に示されるように、本実施形態のトップ側隆起部１２ａは、フェース５の上縁５ａに連なってヘッド後方にのびる外周面１３、前記上縁５ａよりもヘッド３の重心Ｇ側の背面９からヘッド後方にのびかつ重心Ｇ側を向く内周面１４、該内周面１４と前記外周面１３とをヘッド後方側で継ぐ後側面１５、及び前記フェース背面１０ｃと連設される連設面１６を含んで構成される。
【００３３】
ここで、図４（ａ）乃至（ｃ）に示されるように、前記基準状態の背面視において、外周面１３の前記最大高さＨｏと、内周面１４の水平面ＨＰからの最大高さＨｉとの差である隆起部厚さＨｏ−Ｈｉが、ロフト角βが大きくなるに従って、徐々に大きくなるのが望ましい。即ち、前記隆起部厚さＨｏ−Ｈｉが大きくなると、ヘッド３の外周面１３側の質量が増加し、上下の慣性モーメントＭｓが大きくなる。これにより、前記慣性係数Ａが大きくなり、縦のギア効果が低減される。従って、打球の飛距離の安定が向上する。なお、隆起部厚さＨｏ−Ｈｉが過度に大きくなると、内周面の最大高さＨｉが小さくなり、かえって上下の慣性モーメントＭｓが低減するおそれがある。このため、隆起部厚さＨｏ−Ｈｉは、好ましくは外周面１３の前記最大高さＨｏの５％以上、より好ましくは１０％以上が望ましく、また好ましくは７０％以下、より好ましくは６０％以下が望ましい。なお、内周面１４の最大高さＨｉとは、基準状態の端面視において、内周面１４の最も下端位置における高さをいう。
【００３４】
また、クラブセットのうち、少なくとも１つのクラブヘッド３（本実施形態では、図１（ｂ）、１（ｃ）に示されるように、少なくとも２つ以上）は、トップ側隆起部１２ａに、前記内周面の最大高さＨｉが一定かつトウ・ヒール方向にのびる水平部１９が形成される。このような水平部１９が設けられたトップ側隆起部１２ａは、ヘッド３の質量の過度の増加を抑制しつつ、上下の慣性モーメントＭｓを効果的に大きくすることができ、慣性係数Ａを高めるのに役立つ。なお、本明細書では、前記水平部１９とは、トウ・ヒール方向の長さＬが５mm以上のものをいう。
【００３５】
また、ヘッド基体３Ａは、第１の金属材料と、該第１の金属材料よりも比重が大きく前記トップ側隆起部１２ａの少なくとも一部を構成する第２の金属材料とを含んで形成されるのが望ましい。このようなヘッド３は、慣性係数Ａが大きくなり、バックスピン量の変化が小さくなる。
【００３６】
前記第１の金属材料は、ヘッド基体３Ａのうちフェース部材１０を除いたフェース受け部材１１の主要部を構成するのが望ましく、本実施形態では、例えば、内周面１４の最大高さＨｉよりも下側のフェース受け部材１１に配される。また、前記第２の金属材料は、本実施形態では、内周面１４の最大高さＨｉよりも上側のフェース受け部材１１に配される。なお、第２の金属材料は、このような配設位置に限定されるものではなく、例えば、ソール側隆起部１２ｂの一部、とりわけソール側近い場所で設けられるのが望ましい。これにより、一層上下の慣性モーメントＭｓが高められる。なお、ホーゼル部３Ｂは、第１の金属材料の１種で構成されるのが望ましい。
【００３７】
このような第１の金属材料は、例えば、上述の通り、フェース受け部材１１の主要部を構成するステンレス鋼又は軟鉄の鋳造品が望ましく、第２の金属材料は、タングステンやタングステン合金などが望ましい。
【００３８】
以上、本発明について詳細に説明したが、本発明は上記の具体的な実施形態に限定させることなく、必要に応じて種々の態様に変更しうる。
【実施例】
【００３９】
本発明の効果を確認するために、図１乃至４に基づいたアイアン型ゴルフクラブが試作され、打球の飛距離の安定性及び打球の上がり易さについてテストされた。表１に示すパラメータ以外はすべて同一であり、主な共通仕様は次の通りである。
シャフトの質量及び長さ：各番手共通
フェース部材：チタン合金（比重：４．４）
フェース受け部材：ステンレス鋼（比重：７．８）
テスト方法は、次の通りである。
【００４０】
＜打球の飛距離の安定性＞
各クラブを、ハンディキャップ５〜２５の右打ちゴルファ１０名が、各クラブで１０球ずつゴルフボールを打撃し、目標点に対する打球のずれ量がゴルファの官能により、１０点満点方で評価された。テスト結果には、ゴルファ１０名の平均点が示される。数値が大きいほうが良好である。
【００４１】
＜打球の上がり易さ＞
上記１０名のゴルファの官能により、打球の上がり易さが、１０点満点法で評価された。テスト結果には、その平均点が示される。数値が大きいほうが良好である。
テストの結果などを表１に示す。
【００４２】
【表１】
0005926557.tif 000002
【００４３】
テストの結果、実施例のアイアン型ゴルフクラブセットの高番手のクラブヘッドは、比較例のアイアン型ゴルフクラブセットの高番手のクラブヘッドに比して打球の飛距離の安定性が向上している。
【符号の説明】
【００４４】
１    アイアン型ゴルフクラブ
３    クラブヘッド
Ｇ    ヘッドの重心
【図１】
0005926557.tif 000003
【図２】
0005926557.tif 000004
【図３】
0005926557.tif 000005
【図４】
0005926557.tif 000006